(57)【要約】【課題】  セットバックした壁においても十分な通気が図れ、また平面形態で出隅部、入隅部の通気を縦方向及び横方向でとれて効率のよい除湿が図れる建物の通気装置を提供すること。【解決手段】  上階の一部が下階に対してセットバックしてルーフバルコニー部２が形成された建物において、下階の土台３に上向き開口の通気穴２５が設けられ、該通気穴と連通する通気路１２が下階の壁に沿って縦方向に設けられ、該通気路と連通する通気穴２６がルーフバルコニー部を形成する前方胴差４に設けられ、該通気穴と連通する通気路１５がルーフバルコニー部の床に沿って横方向に設けられ、該通気路と連通する通気穴２７がルーフバルコニー部を形成する後方胴差５に設けられ、該通気路と連通する通気路１８がルーフバルコニー部の壁に沿って縦方向に設けられていることを特徴とする。【選択図】        図２
2005344454.tif 000002
【特許請求の範囲】
【請求項１】
上階の一部が下階に対してセットバックしてルーフバルコニー部が形成された建物において、下階の土台に上向き開口の通気穴が設けられ、該通気穴と連通する通気路が下階の壁に沿って縦方向に設けられ、該通気路と連通する通気穴がルーフバルコニー部を形成する前方胴差に設けられ、該通気穴と連通する通気路がルーフバルコニー部の床に沿って横方向に設けられ、該通気路と連通する通気穴がルーフバルコニー部を形成する後方胴差に設けられ、該通気路と連通する通気路がルーフバルコニー部の壁に沿って縦方向に設けられていることを特徴とする建物の通気装置。
【請求項２】
下階の壁とルーフバルコニー部の壁に設けられた通気路内の建物内側には断熱材が配設されているとともに、ルーフバルコニー部の床に設けられた通気路内の建物外側には断熱材が配設されており、前方胴差及び後方胴差に設けられた通気路が略断面Ｌ形に形成されている請求項１記載の建物の通気装置。
【請求項３】
上階にオーバーハング部が形成された建物において、下階の土台に上向き開口の通気穴が設けられ、該通気穴と連通する通気路が下階の壁に沿って縦方向に設けられ、該通気路と連通する通気穴がオーバーハング部を形成する後方胴差に設けられ、該通気穴と連通する通気路がオーバーハング部の床に沿って横方向に設けられ、該通気路と連通する通気穴がオーバーハング部を形成する前方胴差に設けられ、該通気路と連通する通気路がオーバーハング部の壁に沿って縦方向に設けられていることを特徴とする建物の通気装置。
【請求項４】
下階の壁とオーバーハング部の壁に設けられた通気路内の建物内側には断熱材が配設されているとともに、オーバーハング部の床に設けられた通気路内の建物内側には断熱材が配設されており、前方胴差及び後方胴差に設けられた通気路が断面略Ｌ形又は断面略斜形に形成されている請求項３記載の建物の通気装置。
【請求項５】
平面形態で出隅部、入隅部が形成され、該出隅部、入隅部に隣接する壁に沿って縦方向に通気路が設けられた建物において、出隅部、入隅部にある柱、及び該柱間に設けられた間柱又は羽柄材に前記通気路と連通する通気穴が設けられ、通気路から通気穴を経て横方向に隣接する壁間にわたり通気可能になっていることを特徴とする建物の通気装置。
【請求項６】
出隅部、入隅部が、少なくともルーフバルコニー部、オーバーハング部、土間周り、のいずれかに形成されている請求項５に記載の建物の通気装置。
【発明の詳細な説明】
【技術分野】
【０００１】
この発明は、木造住宅など建築される建物の壁体内湿気を効率よく取り除いて建物全体の耐久性を向上させることができる通気装置に関するものである。
【背景技術】
【０００２】
木造建築の高断熱・高気密化により、外壁の壁体内には、冬季に室内が高湿になり、室内側から湿気が侵入して壁体内の腐巧が問題となる。それを解決する方法として、外壁の外側又は内側（外壁の下地の内側）を通気する方法がとられている。その代表的な方法の１つは、在来の軸組み工法により外壁の下地に縦胴縁を取り付け、その胴縁の上に外装材を張って外壁の下地と外壁材の間の空間に土台付近より外気を取り入れ、軒桁付近まで外装材と外壁下地間を通気する方法である。しかしこの方法では、外壁の骨組みに構造用の面材を張る場合には、その面材の外側を通気するため、室内側から入った湿気が面材の内側に溜まり、外部に抜けない欠点があった。そのため、これを解決する方法として、外壁の構造用面材の壁内側に通気層を設け、壁内の湿気を排出する通気方法が本出願人より先に提案されている（例えば、特許文献１参照。）。
【０００３】
【特許文献１】特許第２６４２５９３号公報
【発明の開示】
【発明が解決しようとする課題】
【０００４】
前記の特許文献１は下階の外壁と上階の外壁に形成した両通気路のいずれか一方の通気路と連通する通気孔を横架材に上下に貫通して設けるとともに、この通気孔と他方の通気路を連通する通気凹溝を横架材の上面又は下面の少なくともいずれかに形成し、大きな梁などの横架材が建物の外周中央部に周るように下階の外壁と上階の外壁との間に張り渡されている場合であってもその外壁に床下から屋根裏まで連続した通気路を確保するようにしたものである。
【０００５】
しかしながら、特許文献１は壁一面の横方向通気と土台から桁への縦方向通気がされているが、横方向の他の壁面への通気がされていないため、十分な通気ができない箇所が生じるという問題があった。すなわち、図１４に示すように例えば二階にルーフバルコニー部を作るためにセットバックした建物の場合、一階の壁１０１はよいが二階の壁１０２は一階の壁と連通して通気することが困難で、通気が阻害されることがあった。また図１５に示すように平面形態で出隅部、入隅部のある建物の場合、出隅部１０３、入隅部１０４を形成する通常柱のある角部を経由しての横方向通気がなく、縦方向のみの通気となるので、効率のよい除湿が図れないという問題があった。
【０００６】
そこでこの発明は、前記のような従来の問題に鑑み、セットバックした壁においても十分な通気が図れ、また平面形態で出隅部、入隅部の通気を縦方向及び横方向でとれて効率のよい除湿が図れる建物の通気装置を提供することを目的とする。
【課題を解決するための手段】
【０００７】
前記目的を達成するため、請求項１に記載の発明は、上階の一部が下階に対してセットバックしてルーフバルコニー部が形成された建物において、下階の土台に上向き開口の通気穴が設けられ、該通気穴と連通する通気路が下階の壁に沿って縦方向に設けられ、該通気路と連通する通気穴がルーフバルコニー部を形成する前方胴差に設けられ、該通気穴と連通する通気路がルーフバルコニー部の床に沿って横方向に設けられ、該通気路と連通する通気穴がルーフバルコニー部を形成する後方胴差に設けられ、該通気路と連通する通気路がルーフバルコニー部の壁に沿って縦方向に設けられていることを特徴とする。
【０００８】
請求項２に記載の発明は、請求項１において、下階の壁とルーフバルコニー部の壁に設けられた通気路内の建物内側には断熱材が配設されているとともに、ルーフバルコニー部の床に設けられた通気路内の建物外側には断熱材が配設されており、前方胴差及び後方胴差に設けられた通気路が略断面Ｌ形に形成されていることを特徴とする。
【０００９】
請求項３に記載の発明は、上階にオーバーハング部が形成された建物において、下階の土台に上向き開口の通気穴が設けられ、該通気穴と連通する通気路が下階の壁に沿って縦方向に設けられ、該通気路と連通する通気穴がオーバーハング部を形成する後方胴差に設けられ、該通気穴と連通する通気路がオーバーハング部の床に沿って横方向に設けられ、該通気路と連通する通気穴がオーバーハング部を形成する前方胴差に設けられ、該通気路と連通する通気路がオーバーハング部の壁に沿って縦方向に設けられていることを特徴とする。
【００１０】
請求項４に記載の発明は、請求項３において、下階の壁とオーバーハング部の壁に設けられた通気路内の建物内側には断熱材が配設されているとともに、オーバーハング部の床に設けられた通気路内の建物内側には断熱材が配設されており、前方胴差及び後方胴差に設けられた通気路が断面略Ｌ形又は断面略斜形に形成されていることを特徴とする。
【００１１】
請求項５に記載の発明は、平面形態で出隅部、入隅部が形成され、該出隅部、入隅部に隣接する壁に沿って縦方向に通気路が設けられた建物において、出隅部、入隅部にある柱、及び該柱間に設けられた間柱又は羽柄材に前記通気路と連通する通気穴が設けられ、通気路から通気穴を経て横方向に隣接する壁間にわたり通気可能になっていることを特徴とする。請求項６に記載の発明は、請求項５において、出隅部、入隅部が、少なくともルーフバルコニー部、オーバーハング部、土間周り、のいずれかに形成されていることを特徴とする。
【発明の効果】
【００１２】
この発明は前記のようであって、請求項１，２に記載のように上階の一部が下階に対してセットバックしてルーフバルコニー部が形成された建物において、該セットバックした壁においても十分な通気を図ることができる。またセットバックとは反対に請求項３，４に記載のように上階にオーバーハング部が形成された建物において、該オーバーハングした壁においても十分な通気を図ることができる。さらに請求項５，６に記載のように平面形態で出隅部、入隅部が形成された建物において、該出隅部、入隅部においても縦方向の通気は勿論、横方向の通気もとれて効率のよい除湿を図ることができる。したがって、建物全体の耐久性を向上させることができるという優れた効果がある。
【発明を実施するための最良の形態】
【００１３】
この発明の実施の形態を、添付図面を参照して説明する。
【００１４】
（実施の形態１）
この実施の形態１は、上階の一部が下階に対してセットバックしてルーフバルコニー部が形成された建物に実施したものである。図１は、その要部拡大斜視図、図２は、図１のＡ−Ａ線に沿う縦断面図、図３は、図１のＢ−Ｂ線に沿う横断面図、図４は、図１のＣ−Ｃ線に沿う縦断面図である。
【００１５】
１は木造二階建て建物で、二階の隅の一部にルーフバルコニー部２がセットバックして形成されている。３は土台、４，５は胴差、６は桁、７は柱であり、それぞれ複数本ずつ、配設されている。ルーフバルコニー部２が形成された一階の一つの壁には掃き出しサッシ８が形成されているが、該サッシ周りの壁は図２に示すように土台３と胴差４間の室内側に石膏ボードなど内装下地材１０が張り付けられ、室外側には面材などの外壁下地材１１が張り付けられ、両下地材間で通気路１２が形成されている。また胴差４と胴差５間の室内側に天井材１３が張り付けられ、室外側に床材１４が張り付けられ、両材間で通気路１５が形成されている。さらに胴差５と桁６間の室内側に内装下地材１６が張り付けられ、室外側に外壁下地材１７が張り付けられ、両下地材間で通気路１８が形成されている。２０，２１，２２はそれぞれ通気路１２，１５，１８内で下地材１０、床材１４、下地材１６と接して配設された断熱材である。
【００１６】
土台３には通気穴２５が通気路１２と連通可能に上下に貫通して設けられている。胴差４には通気穴２６が通気路１２及び通気路１５と連通可能に断面略Ｌ字形に貫通して設けられている。胴差５には通気穴２７が通気路１５及び通気路１８と連通可能に断面略Ｌ字形に貫通して設けられている。そして、これら通気穴２５，２６，２７と通気路１２，１５，１８を経て矢印ａで示すように土台３下の空気がルーフバルコニー部２の周りでも一階の壁に沿って胴差４まで縦方向に、そこから胴差４，５間に沿って横方向に、さらに二階の壁に沿って桁６まで通気ができるようになっている。
【００１７】
一方、ルーフバルコニー部２には平面形態で出隅部３０、入隅部３１が形成されているが、該出隅部、入隅部に隣接する壁は図３に示すように柱７と柱７間の室内側に石膏ボードなど内装下地材３３が張り付けられ、室外側には面材などの外壁下地材３４が張り付けられ、両下地材間で通気路３５が形成されている。３２は間柱、３６は羽柄材である。一方の柱７と図示しない柱間でも同様な構成により通気路３７が形成され、他方の柱７と図示しない柱間でも同様な構成により通気路３８が形成されている。４０，４１，４２はそれぞれ通気路３５，３７，３８内に配設された断熱材である。
【００１８】
一方の柱７には通気穴４４が通気路３５及び通気路３７と連通可能に断面略Ｌ字形に貫通して設けられている。他方の柱７には通気穴４５が通気路３５及び通気路３８と連通可能に断面略Ｌ字形に貫通して設けられている。通気路３５を遮断するように設けられた間柱３２と羽柄材３６には通気穴４６，４７が通気路３５を連通可能に設けられている。そして、これら通気穴４４，４５と通気路３７，３５，３８を経て矢印ｂで示すように図示しない柱側の空気がルーフバルコニー部２の周りでも二階の壁に沿って一方の柱７まで横方向に、そこから一方の柱７及び他方の柱７間に沿って横方向に、さらに他方の柱から図示しない柱まで横方向に通気ができるようになっている。
【００１９】
またルーフバルコニー部２が形成されない一階の壁は図４（Ａ）に示すように土台３と胴差４間の室内側に石膏ボードなど内装下地材４８が張り付けられ、室外側には面材などの外壁下地材４９が張り付けられ、両下地材間で通気路５０が形成され、該通気路には断熱材５１が配設されている。図示省略したが胴差４の上方の壁も同様な構成になっている。土台３と胴差４には通気穴５２，５３が通気路５０と連通可能に上下に貫通して設けられている。この構成により、矢印ｃで示すように土台３下からの空気が通気穴５２から通気路５０に、さらに該通気路を経て胴差４の通気穴５３からその上方の通気路に通気可能になっている。５５はルーフバルコニー部２が形成された二階の一つの壁に形成された掃き出しサッシ、５６は一階の掃き出しサッシ８と隣接して形成された掃き出しサッシ、５７はその上の二階に形成された小窓である。
【００２０】
図４（Ｂ），（Ｃ）は土台３に設けられる通気穴の変形例であり、（Ｂ）の通気穴５２ａは土台３の室内側からの空気が通気路５０に通気可能なように断面略斜形に形成され、（Ｃ）の通気穴５２ｂは同様に断面略Ｌ形に形成されている。そのほかは（Ａ）と同様な構成となっている。
【００２１】
前記のようになっているので、セットバックしてルーフバルコニー部２が形成された建物１において、ルーフバルコニー部２のある土台３下からの空気は、前記したように通気穴２５，２６，２７と通気路１２，１５，１８を経て矢印ａで示すように一階の壁に沿って胴差４まで縦方向に、そこから胴差４，５間に沿って横方向に、さらに二階の壁に沿って桁６まで通気ができ、従来できなかったセットバックした二階の壁においても一階の壁と連通して通気することが可能となり、十分な通気が図れるようになった。また出隅部３０、入隅部３１が形成されているルーフバルコニー部２の周りの壁においても、その左右からの空気は、前記したように通気穴４４，４５，４６，４７と通気路３７，３５，３８を経て矢印ｂで示すように二階の壁に沿って一方の柱７まで横方向に、そこから一方の柱７及び他方の柱７間に沿って横方向に、さらに他方の柱から図示しない柱まで横方向に通気ができ、従来できなかった横方向通気を確保することができる。またルーフバルコニー部２が形成されない一階の壁においても土台３周りの空気は、前記したように矢印ｃで示すように通気穴５２から通気路５０に、さらに該通気路を経て胴差４の通気穴５３からその上方の通気路に通気ができる。個々に全てを説明できないが、この建物１では図１で矢印で示した通気が可能である。
【００２２】
（実施の形態２）
この実施の形態２は、二階にオーバーハング部が形成された建物に実施したものである。この実施の形態２では実施の形態１で示した建物と同じ建物の別の箇所に実施したものとして説明する。またこの実施の形態２で実施の形態１と同様の部分には同一符号を付して説明を省略する。図５は、その要部拡大斜視図、図６は、図５のＤ−Ｄ線に沿う縦断面図である。
【００２３】
図５において６０は建物１の二階に形成されたオーバーハング部を示す。このようなオーバーハング部６０が形成された一階の一つの壁には掃き出しサッシ６１が形成されているが、該サッシ周りの壁は図６に示すように土台３と胴差４間の室内側に石膏ボードなど内装下地材１０が張り付けられ、室外側には面材などの外壁下地材１１が張り付けられ、両下地材間で通気路６３が形成されている。また胴差４と胴差５間の室内側に天井材１３が張り付けられ、室外側に床材１４が張り付けられ、両材間で通気路６５が形成されている。さらに胴差５と桁６間の室内側に内装下地材１６が張り付けられ、室外側に外壁下地材１７が張り付けられ、両下地材間で通気路６８が形成されている。２０，２１，２２はそれぞれ通気路６３，６５，６８内で下地材１０、床材１４、下地材１６と接して配設された断熱材である。
【００２４】
土台３には通気穴７０が通気路６３と連通可能に上下に貫通して設けられている。胴差４には通気穴７１が通気路６３及び通気路６５と連通可能に断面略Ｌ字形に貫通して設けられている。胴差５には通気穴７２が通気路６５及び通気路６８と連通可能に断面略斜形に貫通して設けられている。そして、これら通気穴７０，７１，７２と通気路６３，６５，６８を経て矢印ｄで示すように土台３下の空気がオーバーハング部６０の周りでも一階の壁に沿って胴差４まで縦方向に、そこから胴差４，５間に沿って横方向に、さらに二階の壁に沿って桁６まで通気ができるようになっている。またオーバーハング部６０が形成された二階、その下の一階には実施の形態１で示したような出隅部３０が形成されるが、この出隅部においても実施の形態１で説明したように矢印ｂで示す横方向の通気ができるようになっている。６２はオーバーハング部６０が形成された二階の一つの壁に形成された中連サッシである。
【００２５】
図７は図６のＥ部を拡大して示す部分図で、胴差５に設けた通気穴の変形例で、この例では通気穴７０ａは断面略Ｌ字形に貫通して設けられている。
【００２６】
図８は図６のＦ部を拡大して示す部分図で、胴差４に設けた通気穴の変形例で、この例では通気穴７１ａは断面略斜形に貫通して設けられている。
【００２７】
前記のようになっているので、オーバーハング部６０が形成された建物１において、オーバーハング部６０のある土台３下からの空気は、前記したように通気穴７０，７１，７２と通気路６３，６５，６８を経て矢印ｄで示すように土台３下の空気がオーバーハング部６０の周りでも一階の壁に沿って胴差４まで縦方向に、そこから胴差４，５間に沿って横方向に、さらに二階の壁に沿って桁６まで通気ができる。また出隅部３０のある壁においても、その左右からの空気は、前記したように横方向通気を確保することができる。これにより、矢印ｄで示す土台３下の空気が縦方向だけでなく、矢印ｂで示す横方向へも通気できるようになり、壁の縦横にきめ細かい通気性が確保される。実施の形態２の場合においても、個々に全てを説明できないが、この建物１では図５で矢印で示した通気が可能である。
【００２８】
（実施の形態３）
この実施の形態３は、平面形態で出隅部、入隅部が土間周りに形成された建物に実施したものである。この実施の形態３では実施の形態１，２で示した建物と同じ建物の別の箇所に実施したものとして説明する。図９は、その要部拡大斜視図である。
【００２９】
図９において７５は土間周りを示す。このような土間周りの出隅部３０、入隅部３１においても前記したように、矢印ｂ，ｃで示す縦方向、横方向の通気ができる。そのほかの構成は前記実施の形態１，２と同様であるので、同様の部分には同一符号を付して説明を省略する。
【００３０】
実施の形態３は、出隅部３０、入隅部３１のある土間周り７５において、土台３下又は周囲からの空気を土台３、胴差４に設けた通気穴や、それらの間に設けられる通気路、出隅部、入隅部の柱に設けた通気穴や、通気路を経て縦方向、横方向に縦横に通気して最終的に上階から上方に抜け出るものである。しかし、このような通気だけでなく、出隅部３０、入隅部３１のある土間周り７５において、土台３、胴差４等に通気穴を設けることなく、縦方向の通気可能にした一例が、図１０に示すものである（図１０では一部省略している）。
【００３１】
これによれば、図示例のように出隅部３０、入隅部３１のある土間周り７５の土台３と胴差４間に張り付けられる外壁下地材１１の下端部の隅又は中央部を切り欠き、この切り欠きにより土台３と柱７と外壁下地材１１との間に通気用の開口部７７，７８を形成したものである。したがって、この形態によれば、土台３の下端近くの開口部７７，７８から通気路７９に空気が入り、該入った空気は通気路７９を縦方向に進み、胴差４近くに前記と同様にして形成された開口部７７，７８あるいは途中に形成された開口部７７から抜け出るという通気が可能となる。図示例では左に小窓８０のある壁、中央に間柱のない壁、右に間柱のある壁をあげている。８２は間柱、８３は羽柄材である。
【００３２】
前記のような通気方式によれば、柱７や土台３、胴差４などに通気穴を設けなくともよく、これにより出隅部３０、入隅部３１においても縦方向通気ができる。
【００３３】
前記各実施の形態では同じ建物の別の箇所に実施したものとして説明したが、これは別々の建物にそれぞれ実施してもよいことは勿論である。また、各実施の形態は、あくまでも好ましい一例であって、具体的な構造は実施に際して、特許請求の範囲に記載した範囲において適宜に変更・修正できるものであることは言うまでもない。
【図面の簡単な説明】
【００３４】
【図１】この発明の実施の形態１を示す要部拡大斜視図である。
【図２】図１のＡ−Ａ線に沿う縦断面図である。
【図３】図１のＢ−Ｂ線に沿う横断面図である。
【図４】（Ａ）は図１のＣ−Ｃ線に沿う縦断面図、（Ｂ），（Ｃ）は（Ａ）の変形例を示す縦断面図である。
【図５】実施の形態２を示す要部拡大斜視図である。
【図６】図５のＤ−Ｄ線に沿う縦断面図である。
【図７】図６のＥ部を拡大して示す通気穴の変形例の部分図である。
【図８】図６のＦ部を拡大して示す通気穴の変形例の部分図である。
【図９】実施の形態３を示す要部拡大斜視図である。
【図１０】同上において土台、胴差等に通気穴を設けることなく、縦方向の通気可能にした一例を示す要部の分解拡大斜視図である。
【図１１】同上の間柱のある壁に沿う縦断面図である。
【図１２】同上の小窓のある壁に沿う横断面図である。
【図１３】同上の小窓のある壁の異なる部分に沿う横断面図である。
【図１４】従来のセットバックした建物を示す概略図である。
【図１５】従来の出隅部、入隅部のある建物を示す概略図である。
【符号の説明】
【００３５】
１  建物                                    ２  ルーフバルコニー部
３  土台                                    ４，５  胴差
６  桁                                      ７  柱
１０，１６，３３，４８  内装下地材          １１，１７，３４，４９  外壁下地材
１２  通気路                                １３  天井材
１４  床材                                  １５，１８  通気路
２０，２１，２２  断熱材                    ２５，２６，２７  通気穴
３０  出隅部                                ３１  入隅部
３２  間柱                                  ３５，３７，３８  通気路
３６  羽柄材                                ４０，４１，４２  断熱材
４４，４５，４６，４７  通気穴              ５０  通気路
５１  断熱材                                ６０  オーバーハング部
６３，６５，６８  通気路                    ７０，７１，７２  通気穴
７５  土間周り                              ７７，７８  通気用の開口部
７９  通気路
【図１】
2005344454.tif 000003
【図２】
2005344454.tif 000004
【図３】
2005344454.tif 000005
【図４】
2005344454.tif 000006
【図５】
2005344454.tif 000007
【図６】
2005344454.tif 000008
【図７】
2005344454.tif 000009
【図８】
2005344454.tif 000010
【図９】
2005344454.tif 000011
【図１０】
2005344454.tif 000012
【図１１】
2005344454.tif 000013
【図１２】
2005344454.tif 000014
【図１３】
2005344454.tif 000015
【図１４】
2005344454.tif 000016
【図１５】
2005344454.tif 000017